(57)【特許請求の範囲】
【請求項１】
流体通路内を流れる内部流体と前記流体通路の外部を流れる外部流体とを熱交換させる主熱交換部と、
前記主熱交換部の流体通路の入口側に流入する内部流体と、前記主熱交換部の流体通路の出口側から流出する内部流体とを熱交換させる副熱交換部とを有し、
前記主及び副熱交換部の流体通路は金属薄板の積層構造により形成されており、
前記副熱交換部において、前記主熱交換部の流体通路の入口部及び出口部の少なくとも一方に対向する部位に、この入口部もしくは出口部を閉塞可能な検査治具を挿入するための治具挿入穴が設けられており、
この治具挿入穴には、この穴を密封するための密封部材が装着されていることを特徴とする積層型熱交換器。
【請求項２】
冷媒通路内を流れる冷媒と前記冷媒通路の外部を流れる被冷却流体とを熱交換させる主熱交換部と、
前記主熱交換部の冷媒通路の入口側に流入する冷媒と、前記主熱交換部の冷媒通路の出口側から流出する冷媒とを熱交換させる副熱交換部とを有し、
前記主及び副熱交換部の冷媒通路は金属薄板の積層構造により形成されており、
前記副熱交換部において、前記主熱交換部の冷媒通路の入口部及び出口部の少なくとも一方に対向する部位に、この入口部もしくは出口部を閉塞可能な検査治具を挿入するための治具挿入穴が設けられており、
この治具挿入穴には、この穴を密封するための密封部材が装着されていることを特徴とする積層型蒸発器。
【請求項３】
請求項１記載の積層型熱交換器の製造方法であって、
前記副熱交換部において、前記主熱交換部の流体通路の入口部及び出口部の少なくとも一方に対向する部位に、この入口部もしくは出口部を閉塞可能な検査治具を挿入するための治具挿入穴を設ける治具挿入穴加工工程と、
前記主熱交換部と、前記副熱交換部とを、金属薄板の積層構造からなる所定構造に仮組付する組付工程と、
前記所定構造に仮組付された副熱交換部及び主熱交換部からなる組付体を炉中にて一体ろう付けするろう付け工程と、
このろう付け後に、前記治具挿入穴から検査治具を挿入して、この検査治具により前記主熱交換部の流体通路の入口部もしくは出口部を閉塞するとともに、前記治具挿入穴が外部へ開口するのを前記検査治具により遮断する治具挿入工程と、
前記副熱交換部の流体通路内に洩れ検査用の流体を封入し、前記副熱交換部の流体通路相互間の内部洩れの有無を検査する洩れ検査工程と、
この洩れ検査を実施後に、前記治具挿入穴に密封部材を装着して、前記治具挿入穴を密封する治具挿入穴密封工程と、を備えることを特徴とする積層型熱交換器の製造方法。
【請求項４】
流体通路内を流れる内部流体と前記流体通路の外部を流れる外部流体とを熱交換させる主熱交換部と、
前記主熱交換部の流体通路の入口側に流入する内部流体と、前記主熱交換部の流体通路の出口側から流出する内部流体とを熱交換させる副熱交換部とを有し、
前記主及び副熱交換部の流体通路は金属薄板の積層構造により形成されており、
前記副熱交換部において、前記主熱交換部の流体通路の入口部及び出口部の少なくとも一方に対向する部位に、この入口部もしくは出口部を閉塞可能な検査治具を挿入するための治具挿入穴が設けられている積層型熱交換器において、
前記副熱交換部の流体通路相互間の内部洩れを検査する検査方法であって、
前記副熱交換部の前記治具挿入穴から検査治具を挿入して、この検査治具により前記主熱交換部の流体通路の入口部もしくは出口部を閉塞するとともに、前記治具挿入穴が外部へ開口するのを前記検査治具により遮断する治具挿入工程と、
前記副熱交換部の流体通路内に洩れ検査用の流体を封入し、前記副熱交換部の流体通路相互間の内部洩れの有無を検査する洩れ検査工程と、を備えることを特徴とする積層型熱交換器の洩れ検査方法。
【請求項５】
流体通路内を流れる内部流体と前記流体通路の外部を流れる外部流体とを熱交換させる主熱交換部と、
前記主熱交換部の流体通路の入口側に流入する内部流体と、前記主熱交換部の流体通路の出口側から流出する内部流体とを熱交換させる副熱交換部とを有し、
前記主及び副熱交換部の流体通路は金属薄板の積層構造により形成されており、
前記副熱交換部において、前記主熱交換部の流体通路の入口部及び出口部の少なくとも一方に対向する部位に、この入口部もしくは出口部を閉塞可能な検査治具を挿入するための治具挿入穴が設けられている積層型熱交換器において、
前記副熱交換部及び前記主熱交換部の流体洩れを検査する検査方法であって、
前記副熱交換部の流体通路及び主熱交換部の流体通路内に洩れ検査用の流体を封入し、前記副熱交換部及び前記主熱交換部の流体通路から外部への流体洩れの有無を検査する外部洩れ検査工程と、
前記副熱交換部の前記治具挿入穴から検査治具を挿入して、この検査治具により前記主熱交換部の流体通路の入口部もしくは出口部を閉塞するするとともに、前記治具挿入穴が外部へ開口するのを前記検査治具により遮断する治具挿入工程と、
前記副熱交換部の流体通路内に洩れ検査用の流体を封入し、前記副熱交換部の流体通路相互間の内部洩れの有無を検査する内部洩れ検査工程と、を備えることを特徴とする積層型熱交換器の洩れ検査方法。
【発明の詳細な説明】
【０００１】
【産業上の利用分野】
本発明は流体通路を金属薄板の積層構造により形成する積層型熱交換器に関するもので、特に流体通路内を流れる内部流体同志で熱交換を行う副熱交換部を有する積層型熱交換器に関する。
【０００２】
【従来の技術】
本出願人は、特開平５−１９６３２１号公報において、流体通路内を流れる内部流体同志で熱交換を行う副熱交換部を有する積層型熱交換器を提案している。
上記公報記載のものは、具体的には冷凍サイクルの蒸発器として適用されるものであって、通常の冷媒−空気間の熱交換をおこなう主熱交換部の他に、蒸発器入口側の冷媒と蒸発器出口側の冷媒とを熱交換させて、主熱交換部の入口タンク内に流入する冷媒の乾き度を小さくする、副熱交換部（冷媒−冷媒熱交換部）を設けている。
【０００３】
この副熱交換部の作用により主熱交換部の入口タンク内に流入する冷媒の乾き度を大幅に小さくして、入口タンク内における冷媒が液単相に近い状態にすることにより、入口タンクから多数のチューブに冷媒を分配する際に、各チューブに均一に液冷媒を分配できる。しかも、各チューブ内面が液冷媒で覆われた状態となり、チューブ内面での熱伝達率が向上し、これらのことが相まって蒸発器の冷却性能を向上できるものである。
【０００４】
【発明が解決しようとする課題】
ところで、本発明者らの実験検討によれば、上記公報記載のものでは、その製造に際して、副熱交換部（冷媒−冷媒熱交換部）を持つことに起因する冷媒内部洩れという特有の問題が生じることが分かった。すなわち、性能向上の心臓部となる副熱交換部（冷媒−冷媒熱交換部）にてろう付け不良等が生じると、蒸発器の入口側冷媒と出口側冷媒とが直接混合してしまう状態、つまり、副熱交換部の冷媒通路相互間での冷媒洩れ（以下内部洩れという）が発生することがある。この内部洩れが一旦発生すると、蒸発器の冷却性能が低下するのみならず、この蒸発器を用いた空調用冷凍サイクルが制御不能になる場合もある。
【０００５】
ところで、蒸発器の入口側と出口側は本来、主熱交換部の冷媒通路を介して連通しているので、上記内部洩れの発生状態と、主熱交換部の冷媒通路を介した正規の連通状態との区別ができないので、上記内部洩れの有無を従来確認することができなかった。
本発明は上記点に鑑みてなされたもので、流体通路内を流れる内部流体同志で熱交換を行う副熱交換部を有する積層型熱交換器において、内部洩れの有無を的確に検知できるようにすることを目的とする。
【０００６】
【課題を解決するための手段】
本発明は上記目的を達成するため、
請求項１記載の発明では、流体通路内を流れる内部流体と前記流体通路の外部を流れる外部流体とを熱交換させる主熱交換部と、
前記主熱交換部の流体通路の入口側に流入する内部流体と、前記主熱交換部の流体通路の出口側から流出する内部流体とを熱交換させる副熱交換部とを有し、
前記主及び副熱交換部の流体通路は金属薄板の積層構造により形成されており、
前記副熱交換部において、前記主熱交換部の流体通路の入口部及び出口部の少なくとも一方に対向する部位に、この入口部もしくは出口部を閉塞可能な検査治具を挿入するための治具挿入穴が設けられており、
この治具挿入穴には、この穴を密封するための密封部材が装着されているという技術的手段を採用する。
【０００７】
請求項２記載の発明では、冷媒通路内を流れる冷媒と前記冷媒通路の外部を流れる被冷却流体とを熱交換させる主熱交換部と、
前記主熱交換部の冷媒通路の入口側に流入する冷媒と、前記主熱交換部の冷媒通路の出口側から流出する冷媒とを熱交換させる副熱交換部とを有し、
前記主及び副熱交換部の冷媒通路は金属薄板の積層構造により形成されており、
前記副熱交換部において、前記主熱交換部の冷媒通路の入口部及び出口部の少なくとも一方に対向する部位に、この入口部もしくは出口部を閉塞可能な検査治具を挿入するための治具挿入穴が設けられており、
この治具挿入穴には、この穴を密封するための密封部材が装着されているという技術的手段を採用する。
【０００８】
請求項３記載の発明では、請求項１記載の積層型熱交換器の製造方法であって、
前記副熱交換部において、前記主熱交換部の流体通路の入口部及び出口部の少なくとも一方に対向する部位に、この入口部もしくは出口部を閉塞可能な検査治具を挿入するための治具挿入穴を設ける治具挿入穴加工工程と、
前記主熱交換部と、前記副熱交換部とを、金属薄板の積層構造からなる所定構造に仮組付する組付工程と、
前記所定構造に仮組付された副熱交換部及び主熱交換部からなる組付体を炉中にて一体ろう付けするろう付け工程と、
このろう付け後に、前記治具挿入穴から検査治具を挿入して、この検査治具により前記主熱交換部の流体通路の入口部もしくは出口部を閉塞するとともに、前記治具挿入穴が外部へ開口するのを前記検査治具により遮断する治具挿入工程と、
前記副熱交換部の流体通路内に洩れ検査用の流体を封入し、前記副熱交換部の流体通路相互間の内部洩れの有無を検査する洩れ検査工程と、
この洩れ検査を実施後に、前記治具挿入穴に密封部材を装着して、前記治具挿入穴を密封する治具挿入穴密封工程と、を備えるという技術的手段を採用する。
【０００９】
請求項４記載の発明では、流体通路内を流れる内部流体と前記流体通路の外部を流れる外部流体とを熱交換させる主熱交換部と、
前記主熱交換部の流体通路の入口側に流入する内部流体と、前記主熱交換部の流体通路の出口側から流出する内部流体とを熱交換させる副熱交換部とを有し、
前記主及び副熱交換部の流体通路は金属薄板の積層構造により形成されており、
前記副熱交換部において、前記主熱交換部の流体通路の入口部及び出口部の少なくとも一方に対向する部位に、この入口部もしくは出口部を閉塞可能な検査治具を挿入するための治具挿入穴が設けられている積層型熱交換器において、
前記副熱交換部の流体通路相互間の内部洩れを検査する検査方法であって、
前記副熱交換部の前記治具挿入穴から検査治具を挿入して、この検査治具により前記主熱交換部の流体通路の入口部もしくは出口部を閉塞するとともに、前記治具挿入穴が外部へ開口するのを前記検査治具により遮断する治具挿入工程と、
前記副熱交換部の流体通路内に洩れ検査用の流体を封入し、前記副熱交換部の流体通路相互間の内部洩れの有無を検査する洩れ検査工程と、を備えるという技術的手段を採用する。
【００１０】
請求項５記載の発明では、流体通路内を流れる内部流体と前記流体通路の外部を流れる外部流体とを熱交換させる主熱交換部と、
前記主熱交換部の流体通路の入口側に流入する内部流体と、前記主熱交換部の流体通路の出口側から流出する内部流体とを熱交換させる副熱交換部とを有し、
前記主及び副熱交換部の流体通路は金属薄板の積層構造により形成されており、
前記副熱交換部において、前記主熱交換部の流体通路の入口部及び出口部の少なくとも一方に対向する部位に、この入口部もしくは出口部を閉塞可能な検査治具を挿入するための治具挿入穴が設けられている積層型熱交換器において、
前記副熱交換部及び前記主熱交換部の流体洩れを検査する検査方法であって、
前記副熱交換部の流体通路及び主熱交換部の流体通路内に洩れ検査用の流体を封入し、前記副熱交換部及び前記主熱交換部の流体通路から外部への流体洩れの有無を検査する外部洩れ検査工程と、
前記副熱交換部の前記治具挿入穴から検査治具を挿入して、この検査治具により前記主熱交換部の流体通路の入口部もしくは出口部を閉塞するするとともに、前記治具挿入穴が外部へ開口するのを前記検査治具により遮断する治具挿入工程と、
前記副熱交換部の流体通路内に洩れ検査用の流体を封入し、前記副熱交換部の流体通路相互間の内部洩れの有無を検査する内部洩れ検査工程と、を備えるという技術的手段を採用する。
【００１１】
【発明の作用効果】
請求項３〜５記載の発明によれば、上記技術的手段を有しているため、主熱交換部の流体通路（冷媒通路）と副熱交換部の流体通路（冷媒通路）との連通状態を検査治具により遮断して、副熱交換部の流体通路相互間の内部洩れの検査を確実に実施できる製造方法、検査方法を提供できる。
【００１２】
また、請求項１、２記載の発明では、上記内部洩れの検査を良好に実施できる積層型の熱交換器、蒸発器を提供できる。
【００１３】
【実施例】
以下、本発明を図に示す実施例について説明する。図１は本発明熱交換器を冷媒蒸発器として適用した自動車用空調装置の冷凍サイクルを示しており、１は圧縮機で、電磁クラッチ２を介して自動車用エンジン（駆動源、図示せず）により駆動されるものである。３は凝縮器で、圧縮機１から吐出された高温、高圧のガス冷媒を冷却ファン（図示せず）の送風空気と熱交換して冷却し、凝縮するものである。  ４は凝縮器３で凝縮した液冷媒を溜めて液冷媒のみをサイクル下流側へ導出する受液器、５は冷媒の減圧手段を構成する温度作動式膨張弁、６は本発明による積層型の冷媒蒸発器である。
【００１４】
この蒸発器６は、冷媒通路７ａ内を流れる冷媒と前記冷媒通路７ａの外部を流れる空調用送風空気（被冷却流体）とを熱交換させる主熱交換部７と、
この主熱交換部７の冷媒通路７ａの入口側に流入する冷媒と、前記主熱交換部７の冷媒通路７ａの出口側から流出する冷媒とを熱交換させる副熱交換部８とを有している。
【００１５】
ここで、副熱交換部８において、８ａは前記主熱交換部７の冷媒通路７ａの入口側に流入する冷媒が流れる冷媒通路を示し、８ｂは前記主熱交換部７の冷媒通路７ａの出口側から流出する冷媒が流れる冷媒通路を示す。従って、副熱交換部８は冷媒−冷媒熱交換部を構成することになる。一方、主熱交換部７は送風空気から冷媒が吸熱して蒸発する冷媒蒸発部（冷媒−空気熱交換部）を構成することになる。
【００１６】
９は副熱交換部８の入口側冷媒通路８ａと主熱交換部７の冷媒通路７ａの入口部との間に蛇行状に形成された微小断面積の冷媒通路で、一般にキャピラリチューブと称されている減圧手段の役割を果たす。但し、この冷媒通路９による減圧度合いは膨張弁５の減圧度合いよりも小さく設定されているので、この冷媒通路９は補助減圧手段として作用するものであって、副熱交換部８における入口側冷媒通路８ａの冷媒温度と、出口側冷媒通路８ｂの冷媒温度との間に、高低の差をつけて、両通路８ａ、８ｂ間の熱交換を良好に行わせるものである。
【００１７】
１０は定圧弁で、冬季の如く冷凍サイクル熱負荷が著しく低下して、その前後の圧力差が設定値以下になると、開弁して受液器４からの液冷媒を所定量減圧して直接主熱交換部７の冷媒通路７ａの入口に流入させるものである。
冬季の低負荷条件時には、膨張弁５の弁開度が微小となって、冷媒流量が小となり、かつ車室内空気を循環させる内気循環モードでは、小流量の冷媒が比較的高温の内気から吸熱して、主熱交換部７の出口冷媒温度が入口冷媒温度より高くなってしまうことがある。その結果、副熱交換部８で、主熱交換部７の出口冷媒により入口側冷媒を加熱するという不具合が生じる。
【００１８】
そこで、このような低負荷条件下では、前記定圧弁１０を開弁して、上記不具合の発生を防止するようにしてある。
前記主及び副熱交換部７、８及び微小冷媒通路９は金属薄板の積層構造により形成されており、その具体的構造は基本的には特開平５−１９６３２１号公報と同じでよいので、以下積層構造の概略を図２、３により説明すると、主熱交換部７では、金属薄板７ｂ、具体的にはアルミニュウム心材の両面にろう材をクラッドした両面クラッド材を所定形状に成形して、これを２枚１組として多数組積層した上で、ろう付けにより接合することにより多数の冷媒通路７ａを並列に形成するものである。
【００１９】
この多数の冷媒通路７ａはそれぞれ上方でＵターンするＵ形状のものであり、この各Ｕ形状の冷媒通路７ａの入口部及び出口部はそれぞれ通路下方部に形成された入口側タンク部７ｃ、出口側タンク部７ｄの開口部にて相互にコア奥行き方向で連通するようになっている。また、主熱交換部７では、隣接する冷媒通路７ａの外面側相互の間隙にコルゲートフィン（フィン手段）１１を接合して空気側の伝熱面積の増大を図るようになっている。
【００２０】
同様に、副熱交換部８においても、金属薄板８ｃ、具体的にはアルミニュウム心材の両面にろう材をクラッドした両面クラッド材を所定形状に成形して、これを多数枚積層してろう付けにより接合することにより、この多数枚の積層構造の金属薄板８ｃの間に、前記入口側冷媒通路８ａと、出口側冷媒通路８ｂを交互に形成するようになっている。
【００２１】
ここで、副熱交換器８の端板１２には配管コネクタ部材１３が接合されるようになっており、この配管コネクタ部材１３には、膨張弁５で減圧された気液２相冷媒が流入する入口管１３ａと、蒸発器６から圧縮機１側へ吸入されるガス冷媒が流出する出口管１３ｂと、微小冷媒通路９の下流側を定圧弁１０の下流側に接続する接続管１３ｃとが配設されている。
【００２２】
そして、この入口管１３ａからの冷媒は、金属薄板８ｃの上部に形成された、入口側冷媒通路８ａの入口側タンク部８ｄに流入するようになっており、この入口側タンク部８ｄはそれ自身の開口部にてコア奥行き方向に連通している。一方、金属薄板８ｃの下部に入口側冷媒通路８ａの出口側タンク部８ｅが形成されており、この出口側タンク部８ｅもそれ自身の開口部にてコア奥行き方向に連通している。そして、上部の入口側タンク部８ｄから下部の出口側タンク部８ｅに向かって、入口側冷媒通路８ａが蛇行状に形成されている。
【００２３】
また、前記した微小冷媒通路９も、主熱交換部７のうち最も副熱交換部８寄りの金属薄板７ｂと、主、副両熱交換部７、８の中間に介在された肉厚の中間プレート１４との間に形成されるようになっている。
入口側冷媒通路８ａの出口側タンク部８ｅから流出した冷媒は次に微小冷媒通路９を通過した後、主熱交換部７の入口側タンク部７ｃに流入し、ここから主熱交換部７の各冷媒通路７ａをＵターン状に流れ、その後出口側タンク部７ｄに集合するようになっている。
【００２４】
この出口側タンク部７ｄに集合した冷媒は、副熱交換部８の金属薄板８ｃの下部に形成された、出口側冷媒通路８ｂの入口側タンク部８ｆに流入するようになっており、この入口側タンク部８ｆはそれ自身の開口部にてコア奥行き方向に連通している。一方、金属薄板８ｃの上部に出口側冷媒通路８ｂの出口側タンク部８ｇが形成されており、この出口側タンク部８ｇもそれ自身の開口部にてコア奥行き方向に連通している。そして、下部の入口側タンク部８ｆから上部の出口側タンク部８ｇに向かって、出口側冷媒通路８ｂが蛇行状に形成されている。
【００２５】
副熱交換部８において、入口側冷媒通路８ａと出口側冷媒通路８ｂは多数枚積層された金属薄板８ｃの表裏両側に交互に形成されている。出口側冷媒通路８ｂの出口側タンク部８ｇから冷媒は配管コネクタ部材１３の出口管１３ｂへ流出する。１５は主熱交換部７の端板である。
次に、図４により本発明の要部をなす副熱交換部８の内部洩れ（入口側冷媒通路８ａと出口側冷媒通路８ｂとの区画接合部８ｈにろう付け不良等により隙間が生じて、冷媒が洩れる状態をいう）を検査するための構成を説明する。１６は前記中間プレート１４に設けられた、断面円弧状の円形打ち出し部を有する冷媒入口穴で、図７に示すように主熱交換部７の入口側タンク部７ｃに直接連通するものである。
【００２６】
微小冷媒通路９を出た冷媒は一旦、中間プレート１４の副熱交換部８側に形成された通路（図示せず）に流入し、この通路から前記冷媒入口穴１６を経て入口側タンク部７ｃへ流入するようになっている。従って、本例では冷媒入口穴１６が請求項１〜５における主熱交換部の流体（冷媒）通路の入口部を構成している。
【００２７】
一方、副熱交換部８の端板１２においては、上記冷媒入口穴１６に対向する部位に穴１２ａが開けられており、この端板１２の穴１２ａに検査治具１７の取付座１８が一体に接合されている。この取付座１８は雌ねじ１８ａを有し、この雌ねじ１８ａにより、上記冷媒入口穴１６を閉塞可能な検査治具１７を挿入できる大きさを持った治具挿入穴１９を設定している。
【００２８】
上記検査治具１７は、雄ねじ１７ａを外周部に形成した本体１７ｂを有し、この本体１７ｂには前記冷媒入口穴１６を閉塞するように円錐状に形成された弁体１７ｃと、この弁体１７ｃに一体に結合された軸部１７ｄが軸方向に移動可能に保持されている。
１７ｅは弁体１７ｃを外方側へ押圧するスプリング、１７ｆ、１７ｇはシール用Ｏリング（シール部材）で、取付座１８に検査治具１７を装着したときに取付座１８の治具挿入穴１９を検査治具１７により密封するためのものである。Ｏリング１７ｇは本体１７ｂの鍔状部１７ｈの端面に配置されており、また他のＯリング１７ｆは本体１７ｂの中心穴１７ｉに配置されている。
【００２９】
検査治具１７としては、図４、５に示すスプリング１７ｅにより弁体１７ｃを冷媒入口穴１６に押圧する形式のものの他に、図７に示すように弁体１７ｃを軸部１７ｄを介して本体１７ｂに一体に連結し、本体１７ｂの雄ねじ１７ａを取付座１８の雌ねじ１８ａにねじ込むことにより、弁体１７ｃを冷媒入口穴１６の内周面に押し当てて、冷媒入口穴１６を閉塞する形式のものであってもよい。
【００３０】
図６において、２０は治具挿入穴１９を密封するための密封部材をなす蓋体で、雄ねじ２０ａを有し、この雄ねじ２０ａにより蓋体２０は取付座１８の雌ねじ１８ａに脱着可能に取付けられる。また、蓋体２０は鍔状部２０ｂを有し、この鍔状部２０ｂの上端面にシール用Ｏリング（シール部材）２０ｃを配置している。
【００３１】
次に、上記構成において本実施例の冷媒蒸発器の製造方法及び冷媒洩れの検査方法について説明する。
本実施例では、蒸発器６をアルミニュウムの一体ろう付けで製造するようにしてあるので、冷間鍛造、切削加工等の必要な厚肉部品である配管コネクタ部材１２及び取付座２０、さらにはろう材の不要なコルゲートフィン１１を除く他の薄板形状の部品はすべてろう材を両面クラッドしたアルミニュウム両面クラッド材から成形されている。厚肉部品の配管コネクタ部材１２、取付座２０及びコルゲートフィン１１はろう材をクラッドしてないアルミニュウムベア材で成形している。
【００３２】
以下製造方法を工程順に説明する。
１．主熱交換部７及び副熱交換部８のそれぞれ個別の組付工程
主熱交換部７においては、まず、入口タンク部７ｃ、出口タンク部７ｄのバーリング形状部７ｅ（図７参照）をかしめて口拡することによりコルゲートフィン１１を挟む２つの金属薄板７ｂ、７ｂを一体化して、これらの三者１１、７ｂ、７ｂを１ユニットしておく。しかるのち、端板１５と、前記１ユニット化した金属薄板７ｂ、７ｂ及びコルゲートフィン１１と、微小冷媒通路９を形成する金属薄板７ｂを図２、３に示すごとき形態に積層して、主熱交換部７の組付を終える。
【００３３】
副熱交換部８においては、前述の冷媒入口穴１６を予め加工した中間プレート１４、金属薄板８ｃ、及び端板１２を図２、３に示す形態に積層するとともに、治具挿入穴１９を設定する雌ねじ１８ａを加工した取付座１８及び配管コネクタ部材１３を端板１２に組付けて、副熱交換部８の組付を終える。
２．蒸発器６全体の組付工程
上記のように、それぞれ個別に組付けられた主熱交換部７と副熱交換部８とを、主熱交換部７が下方、その上方に副熱交換部８が位置するように、この両者７、８を積層して、この両者７、８の積層組付体を縦方向の組付治具により保持して、蒸発器６全体の積層状態を維持する。
３．蒸発器６全体の一体ろう付け工程
縦方向の組付治具により上記両熱交換部７、８の積層状態を維持しながら、この組付体を真空炉中に搬入して、アルミニュウムクラッド材のろう材融点以上に加熱して、組付体各部の接合部分をろう付けにより一体に接合し、蒸発器６全体を一体構造にする。
４．冷媒の外部洩れ検査工程
蒸発器６の外部への開口部は、図２、３、４に示す配管コネクタ部材１３の入口管１３ａ、出口管１３ｂ、接続管１３ｃ及び取付座１８の治具挿入穴１９の４箇所あるので、これらの開口部のうち１つを残して、他の３つの開口部を閉塞する。例えば、入口管１３ａのみ開口しておき、他の開口部はすべて適宜の盲蓋で閉塞しておく。但し、治具挿入穴１９は蓋体２０にて図６に示すように閉塞する。
【００３４】
次に、蒸発器６を密閉室内に搬入し、入口管１３ａに洩れ検査用流体（例えばヘリウムガス）の供給装置を接続して、この検査用流体を所定圧力に加圧して入口管１３ａから蒸発器６の主、副両熱交換部７、８の冷媒通路７ａ、８ａ、８ｂ内に供給し、蒸発器６外への流体洩れ（密閉室内への流体洩れ）の有無を検査する。
５．冷媒の内部洩れ検査工程
副熱交換部８においてろう付け不良等により入口側冷媒通路８ａと出口側冷媒通路８ｂとが直接連通する状態が内部洩れ（図１の矢印Ｘはこの内部洩れを模式的に示す）であり、この内部洩れによる連通状態と、入口側冷媒通路８ａと出口側冷媒通路８ｂとが主熱交換部７の冷媒通路７ａを介した正規の連通状態は、蒸発器６の本来の構成のままでは区別することができない。
【００３５】
そこで、本例では、主熱交換部７の冷媒通路７ａの入口部を閉鎖（図１のＹ部はその閉鎖部を示す）することにより、冷媒の内部洩れの検査を可能としている。すなわち、冷媒の外部洩れ検査工程で装着した蓋体２０を取付座１８から取り外して、その代わりに検査治具１７の先端の弁体１７ｃを取付座１８の治具挿入穴１９から副熱交換部８内に挿入し、検査治具１７の雄ねじ１７ａを取付座１８の雌ねじ１８ａにねじ込む。
【００３６】
図５はこのねじ込みが終了した状態であり、この状態では、鍔状部１７ｈのＯリング１７ｇが取付座１８の端面に圧着して、この端面部分のシールを行う。また、中心穴１７ｉ部分のシールはＯリング１７ｆによって行われる。これと同時に、弁体１７ｃが冷媒入口穴１６の内周面に圧着してこの冷媒入口穴１６を閉鎖する。この閉鎖部分は図１の閉鎖部Ｙに対応する。
【００３７】
そして、接続管１３ｃは適宜の盲蓋で閉塞し、出口管１３ｂは開口したままにしておく。
しかるのち、蒸発器６を密閉室内に搬入し、入口管１３ａに洩れ検査用流体（例えばヘリウムガス）の供給装置を接続して、この検査用流体を所定圧力に加圧して入口管１３ａから蒸発器６の副熱交換部８の入口側冷媒通路８ａ内に供給し、副熱交換部８の入口側冷媒通路８ａから出口側冷媒通路８ｂへの流体洩れ（出口管１３ｂを通して密閉室内への流体洩れ）の有無を検査する。
【００３８】
つまり、図１の矢印Ｘのような内部洩れがあるときは、出口管１３ｂを通して密閉室内へ流体が洩れてくるので、内部洩れの発生を検知できる。
ここで、内部洩れの検査は、本例のように外部洩れを実施した後に行うことが重要である。なぜならば、内部洩れの検査は、本例とは逆に外部洩れの実施前に行うと、内部洩れ検査時に密閉室内に洩れ出た流体が、内部洩れによるものか、外部洩れによるものか判別できないからである。
【００３９】
６．蓋体装着工程
外部洩れ検査及び内部洩れ検査により、洩れなしと判定された良品については、検査治具１７を取付座１８から取り外して、その代わりに蓋体２０を図６に示すように取付座２０にねじ込みで装着し、Ｏリング２０ｃが取付座１８の端面に弾性的に圧着することにより、この端面部分をシールして、取付座１８のねじ部分から外部へ冷媒が洩れることを確実に防ぐ。
【００４０】
以上により蒸発器６の骨格構造の製造を終了でき、この後は表面処理等の仕上げを行うことにより、蒸発器６の製造を完了できる。
なお、上述の例では、密封部材である蓋体２０をねじにより脱着可能に取付座１８に装着しているので、蒸発器６使用後でも、蓋体２０を取り外して、検査治具１７により冷媒入口穴１６を閉鎖することにより、何回も内部洩れの検査を実施できるが、内部洩れの検査を製造工程時に行うだけでよい場合は蓋体２０をねじ込み等の脱着可能な手段で取付座１８に装着せず、かしめ、ろう付け等の手段で蓋体２０を取付座１８側に一体に固着するようにしてもよい。
【００４１】
また、上述の例では、主熱交換部７の冷媒通路７ａの入口部（冷媒入口穴１６）を検査治具１７で閉鎖して、入口管１３ａから検査用流体を加圧して供給するようにしたが、主熱交換部７の冷媒通路７ａの出口部（冷媒入口穴１６の代わりに冷媒出口穴を中間プレート１２に設置する）を検査治具１７で閉鎖して、出口管１３ｂから検査用流体を加圧して供給するようにして、内部洩れの検査を行うことも可能である。
【図面の簡単な説明】
【図１】本発明蒸発器を含む冷凍サイクル図である。
【図２】本発明蒸発器の一実施例を示す斜視図である。
【図３】図２の蒸発器の分解斜視図である。
【図４】図２、３の蒸発器において、検査治具挿入前の状態を示す要部断面図である。
【図５】図２、３の蒸発器において、検査治具挿入後の状態を示す要部断面図である。
【図６】図２、３の蒸発器において、検査治具の代わりに蓋体を装着した状態を示す要部断面図である。
【図７】検査治具の他の例を示す図で、検査治具挿入後の状態を示す要部断面図である。
【符号の説明】
６    蒸発器
７    主熱交換部
７ａ  冷媒通路
７ｂ  金属薄板
８    副熱交換部
８ａ  入口側冷媒通路
８ｂ  出口側冷媒通路
８ｃ  金属薄板
１６  冷媒入口穴（入口部）
１７  検査治具
１９  治具挿入穴
２０  蓋体（密封部材）
【図１】
0003541432.tif 000002
【図２】
0003541432.tif 000003
【図３】
0003541432.tif 000004
【図４】
0003541432.tif 000005
【図５】
0003541432.tif 000006
【図６】
0003541432.tif 000007
【図７】
0003541432.tif 000008